(57)【要約】【課題】  本考案は、最初から横向きの姿勢で寝る場合に対応する枕であって横向きの姿勢で寝る場合にスムーズに入眠することができる横寝姿勢対応枕を提供する。【解決手段】  横寝姿勢対応枕１０の主に後頭部を支持する後頭部対応部１６の一端部には後頭部対応部１６に対して傾いた状態で主に側頭部を支持する側頭部対応部１８が連続形成されている。この側頭部対応部１８の枕奥行方向の長さ寸法は後頭部対応部１６の枕奥行方向の長さ寸法よりも長く形成されている。側頭部対応部１８の高さ寸法は後頭部対応部１６の高さ寸法よりも高く形成されている。この側頭部対応部１８の上面には側頭部が直接当接する側頭部支持水平面２０が形成されている。この側頭部支持水平面２０の高さ寸法は枕使用者の片方の肩幅寸法と略同じ寸法に設定されている。【選択図】  図１
0003111458.tif 000002
【実用新案登録請求の範囲】
【請求項１】
主に横向き状態の姿勢になって寝る場合に使用される横寝姿勢対応枕であって、主に後頭部を支持する後頭部対応部と、この後頭部対応部の少なくとも一端部に形成されて前記後頭部対応部の奥行寸法よりも奥行寸法が長く設定されると共に主に側頭部を支持する側頭部対応部と、この側頭部対応部の上面に形成されて側頭部が当接する側頭部支持水平面と、を有していることを特徴とする横寝姿勢対応枕。
【請求項２】
主に横向き状態の姿勢になって寝る場合に使用される横寝姿勢対応枕であって、主に後頭部を支持する後頭部対応部と、この後頭部対応部の少なくとも一端部に形成されて前記後頭部対応部の奥行寸法よりも奥行寸法が長く設定されると共に主に側頭部を支持する側頭部対応部と、この側頭部対応部の上面に形成されて側頭部が当接すると共に枕使用者の一方の肩幅の寸法と略同じ高さ寸法に設定された側頭部支持水平面と、を有していることを特徴とする横寝姿勢対応枕。
【請求項３】
主に横向き状態の姿勢になって寝る場合に使用される横寝姿勢対応枕であって、主に後頭部を支持する後頭部対応部と、この後頭部対応部の少なくとも一端部に形成されて前記後頭部対応部の奥行寸法よりも奥行寸法が長く設定されると共に主に側頭部を支持する側頭部対応部と、この側頭部対応部の上面に形成されて側頭部が当接すると共に枕使用者の一方の肩幅の寸法と略同じ高さ寸法に設定された側頭部支持水平面と、この側頭部支持水平面の中央部に形成された耳対応部と、を有していることを特徴とする横寝姿勢対応枕。
【請求項４】
主にうつ伏せ状態に近い横向き状態の姿勢になって寝る場合に使用される横寝姿勢対応枕であって、主に後頭部を支持する後頭部対応部と、この後頭部対応部の少なくとも一端部に形成されて後頭部対応部の奥行寸法よりも奥行寸法が長く設定されると共に主に側頭部を支持する側頭部対応部と、この側頭部対応部の端部に向って下がるように傾斜して形成されると共に側頭部が当接する側頭部支持傾斜面と、を有していることを特徴とする横寝姿勢対応枕。
【請求項５】
主にうつ伏せ状態に近い横向き状態の姿勢になって寝る場合に使用される横寝姿勢対応枕であって、主に後頭部を支持する後頭部対応部と、この後頭部対応部の少なくとも一端部に形成されて後頭部対応部の奥行寸法よりも奥行寸法が長く設定されると共に主に側頭部を支持する側頭部対応部と、この側頭部対応部の端部に向って下がるように傾斜して形成されると共に側頭部が当接する側頭部支持傾斜面と、この側頭部支持傾斜面の中央部に形成された耳対応部と、を有していることを特徴とする横寝姿勢対応枕。
【考案の詳細な説明】
【技術分野】
【０００１】
本考案は、主に最初から横向きの姿勢になって寝る場合に適した横寝姿勢対応枕に関する。
【背景技術】
【０００２】
寝る姿勢は、仰向け状態で頭部や頚椎部が正しく枕に支持される寝姿勢が理想的な寝姿であるが、体調や精神状態、個人の癖や習慣等の種々の理由から最初から横向きの姿勢になって寝る人も多く、最初から横向きの姿勢で寝る人の割合は４割から５割に昇るという最近の統計もある。
ところで、快眠できる要因の一つとしてスムーズに入眠できることが重要なポイントであることが知られている。このため、個人の好きな姿勢で眠りにつくことが快眠にとって極めて重要である。
しかし、従来の多くの枕は仰向けの姿勢で寝る場合を想定して形成されているため、主に後頭部を支持する後頭部対応部だけが設けられた構成となっている。
このため、最初から横向きの姿勢になって寝る者にとっては従来の枕では十分に適応することがでず、スムーズに入眠することが困難である。
【考案の開示】
【考案が解決しようとする課題】
【０００３】
本考案は、上記事実に鑑みなされたものであり最初から横向きの姿勢で寝る場合に対応し、横向きの姿勢で寝る場合にスムーズに入眠することができる横寝姿勢対応枕を提供するものである。
【課題を解決するための手段】
【０００４】
請求項１の考案は、主に横向き状態の姿勢になって寝る場合に使用される横寝姿勢対応枕であって、主に後頭部を支持する後頭部対応部と、この後頭部対応部の少なくとも一端部に形成されて前記後頭部対応部の奥行寸法よりも奥行寸法が長く設定されると共に主に側頭部を支持する側頭部対応部と、この側頭部対応部の上面に形成されて側頭部が当接する側頭部支持水平面と、を有していることを特徴としている。
請求項２の考案は、主に横向き状態の姿勢になって寝る場合に使用される横寝姿勢対応枕であって、主に後頭部を支持する後頭部対応部と、この後頭部対応部の少なくとも一端部に形成されて前記後頭部対応部の奥行寸法よりも奥行寸法が長く設定されると共に主に側頭部を支持する側頭部対応部と、この側頭部対応部の上面に形成されて側頭部が当接すると共に枕使用者の一方の肩幅の寸法と略同じ高さ寸法に設定された側頭部支持水平面と、を有していることを特徴としている。
請求項３の考案は、主に横向き状態の姿勢になって寝る場合に使用される横寝姿勢対応枕であって、主に後頭部を支持する後頭部対応部と、この後頭部対応部の少なくとも一端部に形成されて前記後頭部対応部の奥行寸法よりも奥行寸法が長く設定されると共に主に側頭部を支持する側頭部対応部と、この側頭部対応部の上面に形成されて側頭部が当接すると共に枕使用者の一方の肩幅の寸法と略同じ高さ寸法に設定された側頭部支持水平面と、この側頭部支持水平面の中央部に形成された耳対応部と、を有していることを特徴としている。
請求項４の考案は、主にうつ伏せ状態に近い横向き状態の姿勢になって寝る場合に使用される横寝姿勢対応枕であって、主に後頭部を支持する後頭部対応部と、この後頭部対応部の少なくとも一端部に形成されて後頭部対応部の奥行寸法よりも奥行寸法が長く設定されると共に主に側頭部を支持する側頭部対応部と、この側頭部対応部の端部に向って下がるように傾斜して形成されると共に側頭部が当接する側頭部支持傾斜面と、を有していることを特徴としている。
請求項５の考案は、主にうつ伏せ状態に近い横向き状態の姿勢になって寝る場合に使用される横寝姿勢対応枕であって、主に後頭部を支持する後頭部対応部と、この後頭部対応部の少なくとも一端部に形成されて後頭部対応部の奥行寸法よりも奥行寸法が長く設定されると共に主に側頭部を支持する側頭部対応部と、この側頭部対応部の端部に向って下がるように傾斜して形成されると共に側頭部が当接する側頭部支持傾斜面と、この側頭部支持傾斜面の中央部に形成された耳対応部と、を有していることを特徴としている。
【考案の効果】
【０００５】
請求項１から請求項３の横寝姿勢対応枕は、後頭部対応部の一端部に側頭部対応部が連続形成されると共にこの側頭部対応部には側頭部が直接当接する側頭部支持水平面が形成されて側頭部を安定支持することができるので、最初から横向き姿勢で寝る場合にスムーズに入眠することができるいう優れた効果を有する。
請求項４及び請求項５の横寝姿勢対応枕は、後頭部対応部の一端部に側頭部対応部が連続形成されると共にこの側頭部対応部には側頭部が直接当接する側頭部支持傾斜面が形成されて側頭部を安定支持することができるので、最初からうつ伏せ状態に近い横向き姿勢で寝る場合にスムーズに入眠することができるいう優れた効果を有する。
【考案を実施するための最良の形態】
【０００６】
考案を実施するために最良の形態の例として以下のような実施例を示す。
【実施例１】
【０００７】
図１〜図６には本考案の横寝姿勢対応枕の第１実施例が示されている。
図１に示されるように、横寝姿勢対応枕１０は枕ケース１２の内部には枕芯体１４（図４参照）が収容され、これにより横寝姿勢対応枕１０は立体的に形成されている。なお、前記枕ケース１２にはミシン目１２Ａが破線で示されている。
図２に示されるように、前記横寝姿勢対応枕１０には主に後頭部を支持する後頭部対応部１６が左右方向（図２左右方向）に向って形成されている。この後頭部対応部１６の一端部（図２左端部）には平面視で後頭部対応部１６に対して傾いた状態で主に側頭部を支持する側頭部対応部１８が連続して一体形成されている。この側頭部対応部１８の枕奥行方向（図２上下方向）の奥行寸法は前記後頭部対応部１６の枕奥行方向（図２上下方向）の奥行寸法よりも長く形成されている。
このように側頭部対応部１８の枕奥行方向（図２上下方向）の奥行寸法を後頭部対応部１６の枕奥行方向（図２上下方向）の奥行寸法よりも長くしたのは、寝返りは一般に腰を中心にして行われるので、図５に想像線で示す仰向けの状態から実線で示す横向きの姿勢に寝返りしても側頭部が枕奥行方向に長い前記側頭部対応部１８によって確実に支持されるようにするためである。
図３に示されるように、前記側頭部対応部１８の高さ寸法は前記後頭部対応部１６の高さ寸法よりも高く形成されている。この側頭部対応部１８の上面には側頭部が直接当接する側頭部支持水平面２０が形成されている。この側頭部支持水平面２０の高さ寸法は枕使用者の片方の肩幅寸法と略同じ寸法に設定されている。
従って、図６に示されるように、横寝姿勢対応枕１０を使用して真横状態で横向きになって寝る場合、身体を真横状態にすると側頭部が側頭部支持水平面２０に安定支持されるようになっている。
なお、前記側頭部対応部１８の高さ寸法が異なる横寝姿勢対応枕１０を予め複数タイプ用意しておくことにより、体格の異なる枕使用者であっても枕使用者が真横状態で横向きになった場合に枕使用者の側頭部と側頭部支持水平面２０がジャストフィットできるようになっている。また、横寝姿勢対応枕１０の後頭部対応部１６の高さ寸法の調節が必要な場合は前記枕ケース１２内の芯体１４の中央部（前記後頭部対応部１６に対応する部分）下に高さ調節パッド（図示せず）を配設したり配設しなかったりすることにより後頭部対応部１６の高さ調節をすることができる。
図３に示されるように、前記側頭部対応部１８の後頭部対応部１６側にはなだらかな傾斜面２２が形成されている。これにより、後頭部対応部１６と側頭部対応部１８間の寝返りをスムーズにしている。
図１及び図２に示されるように、前記側頭部支持水平面２０の中央には長円形状の耳対応部２４が形成されている。この耳対応部２４に対応する前記枕芯体１４の部分には図４に示されるように、少し窪んだ窪み部２６が形成されている。
従って、耳が前記耳対応部２４に対応するように側頭部を前記側頭部支持水平面２０に当接させて寝ても耳は前記窪み部２６に対応するので、横寝姿勢状態でも耳が強く圧迫されることを防止できる。
【０００８】
第１実施例の横寝姿勢対応枕１０の作用を説明する。
この横寝姿勢対応枕１０を使用して最初から真横状態の横向きになって寝る場合は、図６に示されるように真横状態になって側頭部を側頭部対応部１８の側頭部支持水平面２０に対応させる。この側頭部支持水平面２０は水平状態になっており、しかも側頭部支持水平面２０の高さ寸法は枕使用者の片方の肩幅寸法と略同じ寸法に設定されているので側頭部は側頭部支持水平面２０に安定支持される。
また、この状態で耳が当接する耳対応部２４に対応する芯体１４の部分には少し窪んだ窪み部２６が形成されているので横向き状態になっても耳が強く圧迫されることがないので睡眠の妨げになることはない。
従って、この横寝姿勢対応枕１０を使用すれば最初から横向きの姿勢で寝る場合に側頭部は側頭部対応部１８の側頭部支持水平面２０によって確実に安定支持されるので、横向き状態で気持ちよくスムーズに入眠することができる。
この結果、最初から横向きの姿勢で寝る人にとってはスムーズに入眠することができるので快眠を得易い。
なお、睡眠中に寝返り等によって仰向けになる場合は図５及び図６に想像線で示されるように寝返りすると後頭部は横寝姿勢対応枕１０の後頭部対応部１６に対応して後頭部や頚椎部は後頭部対応部１６に確実に支持されるので快眠が妨げられるのを防止できる。
また、仰向け状態から図５に実線で示されるように横向きに寝返りしても側頭部対応部１８は枕の奥行寸法が長く形成されているため側頭部は前記側頭部対応部１８によって確実に支持される。
【実施例２】
【０００９】
図７〜図１１には本考案の横寝姿勢対応枕の第２実施例が示されている。この第２実施例の横寝姿勢対応枕３０は第１実施例の横寝姿勢対応枕１０と同様に横向きの姿勢で寝る場合に使用される枕であるが、真横状態よりもうつ伏せ状態に近い横向きの姿勢で寝る場合に適した枕である。
なお、第１実施例の横寝姿勢対応枕１０と同一の構成は同一の符号を用いてその説明を省略する。
図７及び図８に示されるように、横寝姿勢対応枕３０の後頭部対応部１２の一端部には側頭部対応部３２が連続して一体形成されている。この側頭部対応部３２の枕奥行方向（図８上下方向）の奥行寸法は前記後頭部対応部１２の枕奥行方向（図８上下方向）の奥行寸法よりも長く形成されている。
図９に示されるように、前記側頭部対応部３２の高さ寸法は前記後頭部対応部１２の高さ寸法よりも高く形成されている。この側頭部対応部３２の高さ寸法は枕使用者の片方の肩幅寸法よりも少し小さく設定されている。即ち、図１０及び図１１に示されるように、身体は肩を残しながら下半身は下を向いている姿勢で顔は斜め下を向くので上述したように前記側頭部対応部３２の高さ寸法は枕使用者の片方の肩幅寸法よりも少し小さく設定されている。
図９に示されるように、前記側頭部対応部３２の端部上面には側頭部が直接当接する側頭部支持傾斜面３４が形成されている。この側頭部支持傾斜面３４は端部に向って下がるように傾斜して形成されている。
従って、図１０及び図１１に示されるように横寝姿勢対応枕３０を使用して少しうつ伏せ状態の横向きの姿勢で寝る場合は側頭部は側頭部支持傾斜面３４によって傾斜した状態で安定支持されるようになっている。
この横寝姿勢対応枕３０を使用して少しうつ伏せ状態の横向きの姿勢で寝る場合は側頭部を側頭部対応部３２の側頭部支持傾斜面３４に対応させる。この側頭部支持傾斜面３４は図９に示されるように端部に向って下がるように傾斜して形成されているので、少しうつ伏せ状態の横向き姿勢になっている頭の側頭部は安定して支持される。
従って、この横寝姿勢対応枕３０を使用すれば少しうつ伏せ状態の横向き姿勢になって寝る姿勢でも頭は安定して支持されるのでスムーズに入眠することができ、快眠を得易い。
なお、他の構成、作用、効果は第１実施例の横寝姿勢対応枕１０と同一であるので、説明は省略する。
【００１０】
なお、第１実施例では横寝姿勢対応枕１０の側頭部対応部１８を後頭部対応部１６の一端部に形成し、第２実施例では横寝姿勢対応枕３０の側頭部対応部３２を後頭部対応部１６の一端部に形成したが、第１実施例では横寝姿勢対応枕１０の側頭部対応部１８を後頭部対応部１６の他端部に形成し、第２実施例では横寝姿勢対応枕３０の側頭部対応部３２を後頭部対応部１６の他端部に形成してもよいことは勿論である。
また、第１実施例では横寝姿勢対応枕１０の側頭部対応部１８を後頭部対応部１６の一端部と他端部の両端に形成し、第２実施例では横寝姿勢対応枕３０の側頭部対応部３２を後頭部対応部１６の一端部と他端部の両端に形成してもよいことは勿論である。
【図面の簡単な説明】
【００１１】
【図１】第１実施例の横寝姿勢対応枕の全体斜視図である。
【図２】第１実施例の横寝姿勢対応枕の平面図である。
【図３】第１実施例の横寝姿勢対応枕の正面図である。
【図４】第１実施例の横寝姿勢対応枕の芯体の斜視図である。
【図５】第１実施例の横寝姿勢対応枕の作用を示す平面図である。
【図６】第１実施例の横寝姿勢対応枕の作用を示す背面図である。
【図７】第２実施例の横寝姿勢対応枕の全体斜視図である。
【図８】第２実施例の横寝姿勢対応枕の平面図である。
【図９】第２実施例の横寝姿勢対応枕の正面図である。
【図１０】第２実施例の横寝姿勢対応枕の作用を示す平面図である。
【図１１】第２実施例の横寝姿勢対応枕の作用を示す背面図である。
【符号の説明】
【００１２】
１０    横寝姿勢対応枕
１２    枕ケース
１４    芯体
１６    後頭部対応部
１８    側頭部対応部
２０    側頭部支持水平面
２２    傾斜面
２４    耳対応部
【図１】
0003111458.tif 000003
【図２】
0003111458.tif 000004
【図３】
0003111458.tif 000005
【図４】
0003111458.tif 000006
【図５】
0003111458.tif 000007
【図６】
0003111458.tif 000008
【図７】
0003111458.tif 000009
【図８】
0003111458.tif 000010
【図９】
0003111458.tif 000011
【図１０】
0003111458.tif 000012
【図１１】
0003111458.tif 000013